【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
触覚が使用可能なメッセージを生成する方法であって、
ユーザによる触覚フィードバックコマンドの選択を受信するステップと、
前記触覚フィードバックコマンドと触覚フィードバックとのマッピングを決定するステップと、
前記触覚フィードバックコマンドを前記触覚が使用可能なメッセージに挿入するステップと、
前記触覚が使用可能なメッセージを受信装置に送信するステップであって、前記触覚が使用可能なメッセージは前記触覚フィードバックを生じさせるように構成された前記ステップと、
を含む方法。
【請求項２】
前記触覚が使用可能なメッセージは、音声、動画、顔文字、テキスト、及び／又は画像を含む、請求項１に記載の方法。
【請求項３】
前記触覚フィードバックを出力するステップをさらに含む、請求項１に記載の方法。
【請求項４】
前記触覚フィードバックを出力するステップは前記触覚が使用可能なメッセージを送信するステップに先立って発生する、請求項３に記載の方法。
【請求項５】
前記触覚フィードバックを出力するステップは、前記触覚フィードバックコマンドと触覚フィードバックとのマッピングを決定する前記ステップ、前記触覚フィードバックコマンドを前記触覚が使用可能なメッセージに挿入する前記ステップ、又は前記触覚が使用可能なメッセージを送信する前記ステップの少なくとも一つのステップとともに同時に発生する、請求項３に記載の方法。
【請求項６】
前記ユーザの選択は加速度計の出力を生じさせる、請求項１に記載の方法。
【請求項７】
前記ユーザの選択は、ジェスチャ、音声入力、又は動画カメラ入力に基づく、請求項１に記載の方法。
【請求項８】
前記触覚フィードバックを前記触覚が使用可能なメッセージの特定の部分に割り当てるステップをさらに含む、請求項１に記載の方法。
【請求項９】
装置であって、該装置は、
実行可能な命令を含むメモリと、
前記メモリと通信するプロセッサと、を含み、
該プロセッサは、
ユーザによる触覚フィードバックコマンドの選択を受信し、
前記触覚フィードバックコマンドと触覚フィードバックとのマッピングを決定し、
前記触覚フィードバックコマンドを触覚が使用可能なメッセージに挿入し、
前記触覚が使用可能なメッセージを受信装置に送信するように構成され、
前記触覚が使用可能なメッセージは前記触覚フィードバックを生じさせるように構成されている、前記装置。
【請求項１０】
前記触覚が使用可能なメッセージは、音声、動画、顔文字、テキスト、及び／又は画像を含む、請求項９に記載の装置。
【請求項１１】
前記プロセッサは、さらに、前記触覚フィードバックが出力されることを生じさせるように構成される、請求項９に記載の装置。
【請求項１２】
前記プロセッサは、さらに、前記触覚が使用可能なメッセージを送信することに先立って、前記触覚フィードバックの出力を生じさせるように構成される、請求項１１に記載の装置。
【請求項１３】
前記プロセッサは、さらに、前記触覚フィードバックの出力を、前記触覚フィードバックコマンドと触覚フィードバックとのマッピングを決定すること、前記触覚フィードバックコマンドを前記触覚が使用可能なメッセージに挿入すること、又は前記触覚が使用可能なメッセージを送信することの少なくとも一つとともに、同時に生じさせるように構成される、請求項１１に記載の装置。
【請求項１４】
前記ユーザの選択は加速度計の出力を生じさせる、請求項９に記載の装置。
【請求項１５】
前記ユーザの選択は、ジェスチャ、音声入力、又は動画カメラ入力に基づく、請求項９に記載の装置。
【請求項１６】
前記プロセッサは、さらに、前記触覚フィードバックを前記触覚が使用可能なメッセージの特定の部分に割り当てるように構成される、請求項９に記載の装置。
【請求項１７】
プロセッサにより実行可能なコンピュータプログラムコードを含むコンピュータ読取可能な媒体であって、前記コンピュータプログラムコードは該プロセッサに、
ユーザによる触覚フィードバックコマンドの選択を受信させ、
前記触覚フィードバックコマンドと触覚フィードバックとのマッピングを決定させ、
前記触覚フィードバックコマンドを触覚が使用可能なメッセージに挿入させ、
前記触覚が使用可能なメッセージを受信装置に送信させるものであって、前記触覚が使用可能なメッセージは前記触覚フィードバックを生じさせるように構成されている、前記コンピュータプログラムコードを含むコンピュータ読取可能な媒体。
【請求項１８】
前記触覚が使用可能なメッセージは、音声、動画、顔文字、テキスト、及び／又は画像を含む、請求項１７に記載のコンピュータ読取可能な媒体。
【請求項１９】
前記プロセッサに、前記触覚フィードバックが出力されることを生じさせる、プロセッサにより実行可能なコンピュータプログラムコードをさらに含む、請求項１７に記載のコンピュータ読取可能な媒体。
【請求項２０】
前記プロセッサに、前記触覚が使用可能なメッセージを送信させることに先立って、前記触覚フィードバックの出力を生じさせる、プロセッサにより実行可能なコンピュータプログラムコードをさらに含む、請求項１９に記載のコンピュータ読取可能な媒体。
【請求項２１】
前記プロセッサに、前記触覚フィードバックの出力を、前記触覚フィードバックコマンドと触覚フィードバックとのマッピングを決定させること、前記触覚フィードバックコマンドを前記触覚が使用可能なメッセージに挿入させること、又は前記触覚が使用可能なメッセージを送信させることの少なくとも一つとともに、同時に生じさせる、プロセッサにより実行可能なコンピュータプログラムコードをさらに含む、請求項１９に記載のコンピュータ読取可能な媒体。
【請求項２２】
前記ユーザの選択は加速度計の出力を生じさせる、請求項１７に記載のコンピュータ読取可能な媒体。
【請求項２３】
前記ユーザの選択は、ジェスチャ、音声入力、又は動画カメラ入力に基づく、請求項１７に記載のコンピュータ読取可能な媒体。
【請求項２４】
前記プロセッサに、前記触覚フィードバックを前記触覚が使用可能なメッセージの特定の部分に割り当てさせる、プロセッサにより実行可能なコンピュータプログラムコードをさらに含むことを特徴とする、請求項１７に記載のコンピュータ読取可能な媒体。
【請求項２５】
前記プロセッサは、さらに、
触覚が使用可能な第２のメッセージを受信し、
前記触覚が使用可能な第２のメッセージを受信したことに応答して、前記触覚が使用可能な第２のメッセージの内容の性質を示すことができるように、又は前記触覚が使用可能な第２のメッセージの送信者を特定できるように、又は前記触覚が使用可能な第２のメッセージの緊急性を特定できるように、設定される触覚効果を含む、新しいメッセージ受信通知を決定し、
前記新しいメッセージ受信通知を出力する
ように構成される、請求項９に記載の装置。
【請求項２６】
前記触覚効果は、前記触覚が使用可能な第２のメッセージの内容の性質を示すことができるように構成され、そして
前記プロセッサは、さらに、前記触覚が使用可能な第２のメッセージに含まれる第２の触覚フィードバックコマンドに基づいて、前記触覚効果を決定するように構成される、
請求項２５に記載の装置。
【請求項２７】
前記プロセッサに、
触覚が使用可能な第２のメッセージを受信させ、
前記触覚が使用可能な第２のメッセージを受信したことに応答して、前記触覚が使用可能な第２のメッセージの内容の性質を示すことができるように、又は前記触覚が使用可能な第２のメッセージの送信者を特定できるように、又は前記触覚が使用可能な第２のメッセージの緊急性を特定できるように、設定される触覚効果を含む、新しいメッセージ受信通知を決定させ、
前記新しいメッセージ受信通知を出力させる、
プロセッサにより実行可能なコンピュータプログラムコードをさらに含む、請求項１７に記載のコンピュータ読取可能な媒体。
【請求項２８】
前記触覚効果は、前記触覚が使用可能な第２のメッセージの内容の性質を示すことができるように構成され、そして
前記プロセッサは、さらに、前記触覚が使用可能な第２のメッセージに含まれる第２の触覚フィードバックコマンドに基づいて、前記触覚効果を決定するように構成される、
請求項２７に記載のコンピュータ読取可能な媒体。